(57)【要約】  【課題】  所望の機能を有する手袋を効率良く製造することができる手袋の製造方法を提供する。  【解決手段】  前後に対向配置された前針床２１および後針床２２と、前針床２１および後針床２２の長手方向に沿ってそれぞれ独立して往復動可能な前キャリッジ２３および後キャリッジ２４とを備える横編機２０を用いて筒状編地を編成することにより、手袋を製造する方法であって、前キャリッジ２３および後キャリッジ２４の一方のみを順次移動させる一連のステップを繰り返すことにより、編幅の両端において第１の編糸および第２の編糸を交差させながら、筒状編地の一方面および他方面をそれぞれ第１の編糸および第２の編糸で編成する。【選択図】  図４
2020133008.tif 000002
【特許請求の範囲】
【請求項１】
前後に対向配置された前針床および後針床と、前記前針床および後針床の長手方向に沿ってそれぞれ独立して往復動可能な前キャリッジおよび後キャリッジとを備える横編機を用いて筒状編地を編成することにより、手袋を製造する方法であって、
前記前キャリッジおよび後キャリッジの双方が編幅の一方端の近傍にある状態から、前記前キャリッジを編幅の他方端の近傍まで移動させることにより、前記前針床の編針を動作させて、第１の編糸により手袋の一方面の編地を編成するステップと、
前記後キャリッジを、編地を編成することなく編幅の他方端の近傍まで移動させるステップと、
前記前キャリッジを、編地を編成することなく編幅の一方端の近傍まで移動させるステップと、
前記後キャリッジを編幅の一方端の近傍まで移動させることにより、前記後針床の編針を動作させて、第２の編糸により手袋の他方面の編地を編成するステップとを備え、
前記一連のステップを繰り返すことにより、編幅の両端において第１の編糸および第２の編糸を交差させながら、筒状編地の一方面および他方面をそれぞれ第１の編糸および第２の編糸で編成する手袋の製造方法。
【請求項２】
第１の編糸または第２の編糸の一方に滑り止め糸を使用することで、掌側に滑り止め機能を有する手袋を編成する請求項１に記載の手袋の製造方法。
【発明の詳細な説明】
【技術分野】
【０００１】
本発明は、手袋の製造方法に関し、より詳しくは、横編機を用いた手袋の製造方法に関する。
【背景技術】
【０００２】
横編機を使用して編成される従来の手袋として、例えば特許文献１に開示された構成が知られている。この手袋は、着用時に掌側に位置する部分に、手袋を形成する地糸よりも強度に優れた高強度糸が、所定の編成コース数を隔てながらコース方向に連続するように編み込まれており、これによって保護部が形成されている。高強度糸は、インレイ編成やジャガード編成等により手袋に編み込まれる。
【先行技術文献】
【特許文献】
【０００３】
【特許文献１】特開２０１４−１２５７１５号公報
【発明の概要】
【発明が解決しようとする課題】
【０００４】
上記手袋の編成方法によれば、高強度糸の他に、滑り止め糸、保温糸、着色糸等の各種機能糸を使用することで、保護部に相当する箇所に所望の機能を生じさせることができる。ところが、この編成方法は、手袋の甲側と掌側とで編糸を完全に切り替えることができないため、機能糸の使用量を抑制しつつその機能を十分発揮させる上で、更に改良の余地があった。
【０００５】
そこで、本発明は、所望の機能を有する手袋を効率良く製造することができる手袋の製造方法の提供を目的とする。
【課題を解決するための手段】
【０００６】
本発明の前記目的は、前後に対向配置された前針床および後針床と、前記前針床および後針床の長手方向に沿ってそれぞれ独立して往復動可能な前キャリッジおよび後キャリッジとを備える横編機を用いて筒状編地を編成することにより、手袋を製造する方法であって、前記前キャリッジおよび後キャリッジの双方が編幅の一方端の近傍にある状態から、前記前キャリッジを編幅の他方端の近傍まで移動させることにより、前記前針床の編針を動作させて、第１の編糸により手袋の一方面の編地を編成するステップと、前記後キャリッジを、編地を編成することなく編幅の他方端の近傍まで移動させるステップと、前記前キャリッジを、編地を編成することなく編幅の一方端の近傍まで移動させるステップと、前記後キャリッジを編幅の一方端の近傍まで移動させることにより、前記後針床の編針を動作させて、第２の編糸により手袋の他方面の編地を編成するステップとを備え、前記各ステップを繰り返すことにより、編幅の両端において第１の編糸および第２の編糸を交差させながら、筒状編地の一方面および他方面をそれぞれ第１の編糸および第２の編糸で編成する手袋の製造方法により達成される。
【０００７】
この手袋の製造方法は、第１の編糸または第２の編糸の一方に滑り止め糸を使用することで、掌側に滑り止め機能を有する手袋を編成することができる。
【発明の効果】
【０００８】
本発明によれば、所望の機能を有する手袋を効率良く製造することができる手袋の製造方法を提供することができる。
【図面の簡単な説明】
【０００９】
【図１】本発明の一実施形態に係る製造方法により製造された手袋の平面図である。
【図２】図１に示す手袋の背面図である。
【図３】本発明の一実施形態に係る手袋の製造方法に用いる横編機の概略平面図である。
【図４】図３に示す横編機を用いた手袋の製造方法を説明するための工程図である。
【発明を実施するための形態】
【００１０】
以下、本発明の実施の形態について、添付図面を参照して説明する。図１は、本発明の一実施形態に係る製造方法により製造された手袋を甲側から見た平面図であり、図２は、図１に示す手袋を掌側から見た背面図である。図１および図２に示すように、手袋１は、親指袋部１１、人差指袋部１２、中指袋部１３、薬指袋部１４および小指袋部１５を備えており、人差指袋部１２、中指袋部１３、薬指袋部１４および小指袋部１５の基部に４本胴部１６が設けられている。また、親指袋部１１および４本胴部１６の基部には５本胴部１７が設けられており、５本胴部１７の基部に袖部１８が設けられている。
【００１１】
この手袋１は、横編機を用いて上記の各構成要素に対応する筒状編地を順次編成することにより、製造される。筒状編地の編成順序は特に限定されないが、例えば、薬指袋部１４、中指袋部１３、人差指袋部１２、小指袋部１５、４本胴部１６、親指袋部１１、５本胴部１７および袖部１８の順に編成することができる。
【００１２】
親指袋部１１、人差指袋部１２、中指袋部１３、薬指袋部１４、小指袋部１５、４本胴部１６および５本胴部１７を構成する筒状編地は、甲側と掌側とで材質や色が異なる編糸を使用して編成される。以下、この手袋の製造方法を詳細に説明する。
【００１３】
図３は、本実施形態の手袋の製造方法に用いる横編機の概略構成を示す平面図である。図３に示す横編機２０は、前後に対向配置された前針床２１および後針床２２と、前針床２１および後針床２２の長手方向に沿ってそれぞれ往復動可能な前キャリッジ２３および後キャリッジ２４とを備えている。前キャリッジ２３および後キャリッジ２４は、不図示の制御装置によって、それぞれ独立して往復動させることができる。
【００１４】
前針床２１と後針床２２との間には歯口２５が形成されており、歯口２５の上方には歯口２５と平行な一対のレール２６，２７に沿ってそれぞれ摺動可能なヤーンフィーダ２８，２９が設けられている。ヤーンフィーダ２８，２９は、前後に配置されており、前側のヤーンフィーダ２８が後針床２２の編針に第１の編糸を給糸し、後側のヤーンフィーダ２９が前針床２１の編針に第２の編糸を給糸することで、編地の編端で第１の編糸と第２の編糸とを交差させることができる。ヤーンフィーダ２８，２９は、不図示の連行手段により前キャリッジ２３および後キャリッジ２４で連行させることができ、あるいは、制御装置によりそれぞれ往復動させることもできる。第１の編糸および第２の編糸は、材質、色、太さなどが互いに相違した異なる編糸である。
【００１５】
上記の構成を備える横編機としては、例えば、株式会社島精機製作所のＳＷＧシリーズを好適に使用することができる。
【００１６】
次に、上記の横編機２０を用いて筒状編地を編成する方法を説明する。図３に示すように、前キャリッジ２３および後キャリッジ２４の双方が編幅の一方端（左端）の近傍にある状態から、図４（ａ）に示すように、前キャリッジ２３を後側のヤーンフィーダ２９と共に編幅の他方端（右端）の近傍まで移動させることにより、前針床２１の編針が動作して、第１の編糸により手袋の一方面（例えば甲側）の編地が編成される。
【００１７】
前キャリッジ２３の停止後、図４（ｂ）に示すように、後キャリッジ２４を前側のヤーンフィーダ２８と共に編幅の他方端（右端）の近傍まで移動させる。後キャリッジ２４は、右方向への移動時には編針を動作させないため、この時には編地の編成は行われない。
【００１８】
後キャリッジ２４の停止後、図４（ｃ）に示すように、前キャリッジ２３を後側のヤーンフィーダ２９と共に編幅の一方端（左端）の近傍まで移動させる。前キャリッジ２３は、左方向への移動時には編針を動作させないため、この時には編地の編成は行われないが、編幅の右端において第１の編糸と第２の編糸とが交差する。
【００１９】
前キャリッジ２３の停止後、図４（ｄ）に示すように、後キャリッジ２４を前側のヤーンフィーダ２８と共に編幅の一方端（左端）の近傍まで移動させることにより、後針床２２の編針が動作して、第２の編糸により手袋の他方面（例えば掌側）の編地が編成される。
【００２０】
上記の一連の動作を繰り返すことにより、編幅の両端において第１の編糸および第２の編糸を交差させながら、前針床２１および後針床２２の編針同士が干渉することなく、筒状編地の一方面および他方面をそれぞれ第１の編糸および第２の編糸で編成することができる。したがって、第１の編糸および第２の編糸の一方または双方に各種機能糸を使用することにより、所望の機能を有する手袋を効率良く製造することができる。
【００２１】
例えば、掌側の機能糸として公知の滑り止め糸を使用し、甲側は通常の編糸を使用することで、機能糸の使用量を抑制して低コスト化を図りつつ、グリップ性能を向上させることができる。機能糸としては、高強度糸、保温糸、着色糸などを使用することもできる。機能糸は、手袋の甲側または掌側の一方または双方の全体に編成してもよく、あるいは、部分的に編成してもよい。
【符号の説明】
【００２２】
１  手袋
１１  親指袋部
１２  人差指袋部
１３  中指袋部
１４  薬指袋部
１５  小指袋部
１６  ４本胴部
１７  ５本胴部
１８  袖部
２０  横編機
２１  前針床
２２  後針床
２３  前キャリッジ
２４  後キャリッジ
２５  歯口
２６，２７  レール
２８，２９  ヤーンフィーダ
【図１】
2020133008.tif 000003
【図２】
2020133008.tif 000004
【図３】
2020133008.tif 000005
【図４】
2020133008.tif 000006